(57)【要約】【課題】プラント設備に警報が発生した際に、異常原因の早急な究明し、より迅速な対応が可能となる警報監視システムを提供する。【解決手段】警報監視システムをデータベース２１及び警報監視部２２を有する警報監視計算機２と、警報情報取得部３１、コメント処理部３２及び画面生成部３３を有する警報表示制御装置３と、表示装置４とを備える構成とする。そして、表示装置４は、警報監視画面４１を表示し、警報監視画面４１内に一覧表示された警報履歴情報の中から所定の警報履歴情報が選択された際には該選択された警報履歴情報に対応するコメント情報をコメント画面４３に表示する。【選択図】図１
2011192082.tif 000002
【特許請求の範囲】
【請求項１】
異常判定に用いる基準値情報、警報履歴情報及び異常発生時の対処に関するコメント情報が記録されるデータベース、並びに、外部から入力される所定のプロセスデータと該データベースに記録された対応する該基準値情報とを比較して異常が発生したか否かを判定し且つ異常と判定されたプロセスデータの該警報履歴情報を該データベースに記録する警報監視部を有する警報監視計算機と、
前記データベースから前記警報履歴情報を取得する警報情報取得部、前記データベースから前記コメント情報を取得し且つ前記データベースに前記コメント情報を記録または更新するコメント処理部、並びに、該警報情報取得部で取得した所定期間の前記警報履歴情報を一覧表示するための警報監視画面及び該コメント処理部で取得した前記コメント情報を表示するためのコメント画面を生成する画面生成部を有する警報表示制御装置と、
前記警報監視画面を表示し、前記警報監視画面内に一覧表示された前記警報履歴情報の中から所定の前記警報履歴情報が選択された際には該選択された前記警報履歴情報に対応する前記コメント情報が記載された前記コメント画面を表示する表示装置と
を備える警報監視システム。
【請求項２】
前記画面生成部は、前記警報情報取得部で取得した前記警報履歴情報に基づいて、最新の警報履歴情報と同じ異常事象の履歴情報を前記警報監視画面に付加する
請求項１に記載の警報監視システム。
【請求項３】
前記画面生成部は、前記所定期間より長い期間の前記警報履歴情報を一覧表示するための警報履歴画面を生成する
請求項１または２に記載の警報監視システム。
【請求項４】
前記警報情報取得部は、同じ異常事象の発生回数を計数し、該計数した回数を前記警報履歴情報毎に付加する
請求項１〜３のいずれか一項に記載の警報監視システム。
【請求項５】
さらに、前記コメント画面上で、ユーザにより前記コメント情報の記録または更新を可能とする入力装置を備える
請求項１〜４のいずれか一項に記載の警報監視システム。
【請求項６】
前記コメント情報は、異常発生時の対応者の情報、及び、対応内容の情報を含む
請求項１〜５のいずれか一項に記載の警報監視システム。
【請求項７】
さらに、発電プラント設備に接続され、該発電プラント内の各構成部のプロセスデータを取得し、該プロセスデータを前記警報監視部に出力するプロセスデータ入力装置を備える
請求項１〜６のいずれか一項に記載の警報監視システム。
【請求項８】
警報履歴情報及び異常発生時の対処に関するコメント情報が格納されるデータベース及びそれらの情報を表示する表示装置を備える警報監視システムの監視情報の表示方法であって、
前記表示装置が、前記データベースから所定期間の前記警報履歴情報を取得し、該取得した前記警報履歴情報を一覧表示するステップと、
前記一覧表示された前記警報履歴情報の中から所定の前記警報履歴情報が選択された際に、前記表示装置が、前記選択された前記警報履歴情報に対応する前記コメント情報を前記データベースから取得して表示するステップと
を含む監視情報の表示方法。
【発明の詳細な説明】
【技術分野】
【０００１】
本発明は、例えばプラント等の設備で用いる警報監視システム及び監視情報の表示方法に関する。
【背景技術】
【０００２】
従来、例えば発電プラント等の大規模設備では、プラントを安全かつ効率的に運転するために、プラントを構成する機器の状態やプロセスデータを、計算機等を用いて常時、監視している。そのような警報監視システムでは、異常が発生した際、警報監視画面に、警報発生日時、警報要因の名称、警報要因の状態値等の異常の現況が表示される。また、このような警報監視情報の履歴を一覧表示する警報監視システムも提案されている。
【０００３】
また、従来、上述のような警報監視システムにおいて、異常をより迅速に発見して、復旧に向けた対応を行うための様々な技術が提案されている（例えば、特許文献１及び２参照）。
【０００４】
特許文献１には、プラント機器の動作傾向の解析や異常原因の究明を容易に且つ迅速に行うため、警報履歴データに基づいて警報要因毎の分析結果を運転員に提供するプラント監視装置が提案されている。
【０００５】
特許文献２には、過去の異常と同一の原因によって発生したと推定される異常が発生した際に、監視・操作データに記録された内容をもとに運転員に適切な操作ガイダンスを提示するガイダンス表示装置を備えたプラント運転システムが提案されている。
【先行技術文献】
【特許文献】
【０００６】
【特許文献１】特開平１０−１２４２１１号公報
【特許文献２】特開２００８−２６９２６７号公報
【発明の概要】
【発明が解決しようとする課題】
【０００７】
上述のように、従来、異常が発生した際にその現況を表示する警報監視システムや、警報監視情報の履歴を一覧表示する警報監視システムが提案されている。しかしながら、これらの警報監視システムでは、警報発生日時、警報要因の名称、警報要因の状態値等の情報は表示されるが、異常内容の詳細な情報は表示されない。それゆえ、このような従来の警報監視システムでは、警報発生原因の特定には別途調査が必要となり、異常原因の究明までに多大な時間を要する可能性がある。
【０００８】
また、特許文献１で提案されているプラント監視装置では、警報履歴の表示及び履歴データの分析が可能であるが、警報履歴の各件に対して、例えば、具体的にどのような異常が発生し、それに対してどのような対策を実施したかを知ることができない。
【０００９】
特許文献２で提案されているプラント運転システムは、異常発生時に、操作ガイダンスを表示するものの、異常の現況を表示する機能や警報監視情報の履歴を表示する機能を備えていない。それゆえ、特許文献２で提案されているプラント運転システムでは、運転員が異常の現況や過去の履歴を容易に把握することが難しい。
【００１０】
すなわち、従来、様々な警報監視システムが提案されているが、それらのシステムでは上述のような様々な問題があり、異常原因の早急な究明及び迅速な対応処置の観点において、それらを十分に満足する警報監視システムは提案されていない。
【００１１】
本発明は上記現状を鑑みなされたものであり、本発明の目的は、例えばプラント等の設備において異常が発生した際に、その原因を早急に究明し、より迅速な対応が可能となる警報監視システム及び監視情報の表示方法を提供することである。
【課題を解決するための手段】
【００１２】
上記課題を解決するために、本発明の警報監視システムは、警報監視計算機と、警報表示制御装置と、表示装置とを備える構成とし、各部の構成を次の通りとする。警報監視計算機は、異常判定に用いる基準値情報、警報履歴情報及び異常発生時の対処に関するコメント情報が記録されるデータベース、並びに、外部から入力される所定のプロセスデータと該データベースに記録された対応する該基準値情報とを比較して異常が発生したか否かを判定し且つ異常と判定されたプロセスデータの該警報履歴情報を該データベースに記録する警報監視部を有する構成とする。また、警報表示制御装置は、データベースから警報履歴情報を取得する警報情報取得部、データベースからコメント情報を取得し且つデータベースにコメント情報を記録または更新するコメント処理部、並びに、該警報情報取得部で取得した所定期間の警報履歴情報を一覧表示するための警報監視画面及び該コメント処理部で取得したコメント情報を表示するためのコメント画面を生成する画面生成部を有する構成とする。そして、表示装置は、警報監視画面を表示し、警報監視画面内に一覧表示された警報履歴情報の中から所定の警報履歴情報が選択された際には該選択された警報履歴情報に対応するコメント情報が記載されたコメント画面を表示する。
【００１３】
また、本発明の監視情報の表示方法は、警報履歴情報及び異常発生時の対処に関するコメント情報が格納されるデータベース及びそれらの情報を表示する表示装置を備える警報監視システムの監視情報の表示方法であり、次の手順で行われる。まず、表示装置が、データベースから所定期間の警報履歴情報を取得し、該取得した警報履歴情報を一覧表示する。次いで、一覧表示された警報履歴情報の中から所定の警報履歴情報が選択された際に、表示装置が、選択された警報履歴情報に対応するコメント情報をデータベースから取得して表示する。
【００１４】
本発明では、上述のように、警報履歴情報（異常発生の監視情報）を一覧表示するとともに、各警報履歴情報に対応する例えば異常発生時の対処内容等に関するコメント情報をユーザに提供することができる。
【発明の効果】
【００１５】
上述のように、本発明では、警報履歴情報の一覧をユーザに報知するとともに、各警報履歴情報に対応するコメント情報を容易に参照することができる。そえゆえ、本発明によれば、発生した異常に対して実績を踏まえた対応処置が行うことができ、異常原因の早急な究明及び迅速で効果的な警報復旧操作を行うことができる。
【図面の簡単な説明】
【００１６】
【図１】本発明の一実施形態に係る警報監視システムの概略ブロック構成図である。
【図２】警報情報データベースに記憶されるデータセットの一例である。
【図３】警報情報データベースに記憶されるデータセットの一例である。
【図４】警報履歴データベースに記憶されるデータセットの一例である。
【図５】警報監視画面の一構成例である。
【図６】警報履歴画面の一構成例である。
【図７】コメント画面の一構成例である。
【図８】本発明の一実施形態に係る監視情報の表示方法の処理手順を示すフローチャートである。
【発明を実施するための形態】
【００１７】
以下、本発明に係る警報監視システム及び監視情報の表示方法の一実施形態を、図面を参照しながら説明する。しかしながら、本発明は以下に示す例に限定されるものではない。
【００１８】
［警報監視システムの全体構成］
図１に、本発明の一実施形態に係る警報監視システムの概略ブロック構成図を示す。なお、図１に示す例では、発電プラント２０に用いる警報監視システム１０を例に挙げ説明する。また、図１では、説明を簡略化するため、各部の詳細な電気的な接続関係は省略する。
【００１９】
警報監視システム１０は、プロセス入力装置１（プロセスデータ入力装置）と、警報監視計算機２と、警報監視コンソール３（警報表示制御装置）と、表示装置４と、入力装置５とを備える。なお、警報監視計算機２及び警報監視コンソール３の構成は、後で詳述する。
【００２０】
プロセス入力装置１は、発電プラント２０から送信されるプロセスデータを取得し、その取得したプロセスデータを警報監視計算機２に送信する。ただし、ここでいうプロセスデータには、アナログのプロセスデータ（以下、単にアナログデータという）、及び、デジタルのプロセスデータ（以下、単にデジタルデータという）が含まれる。アナログデータは、例えば温度、圧力等の各種計測データで構成され、デジタルデータは、例えば機器動作や機器異常等を示す接点信号で構成される。
【００２１】
なお、接点信号としては、例えば、正常時には振幅が「０」となり、異常時には振幅が「１」になる信号等が用いられる。また、各プロセスデータには、そのプロセスデータに対応した固有の名称（入力点名称）と、固有の識別番号である入力点番号とが割り当てられている。
【００２２】
表示装置４は、警報監視コンソール３からの出力データに応じて、適宜、対応する警報画面を表示する。本実施形態では、例えば、警報監視画面４１、警報履歴画面４２及びコメント画面４３等を適宜表示する。
【００２３】
なお、本実施形態では、後述するように、警報監視画面４１には、例えば、最近（最新の異常から所定期間）発生した異常の警報メッセージを一覧表示するとともに、選択された警報メッセージと同じ異常事象の履歴を一覧表示する。警報履歴画面４２は、警報監視システム１０において、所定期間に発生した全ての警報履歴情報を一覧表示する。また、コメント画面４３は、例えば、ユーザにより選択された警報メッセージの異常発生時における対応処理及び対応者等の情報（コメント情報）を表示する。
【００２４】
入力装置５は、例えばキーボード、マウス、タッチパネル等の操作機器で構成され、ユーザがこの入力装置５を操作することにより、警報監視システム１０への対話入力が可能になる。そして、入力装置５を用いたユーザの入力操作に対する警報監視システム１０のレスポンスは、表示装置４を通じてユーザに伝達される。
【００２５】
なお、図１に示す例では、警報監視システム１０が入力装置５を備える構成を説明したが、本発明はこれに限定されない。入力装置５が警報監視システム１０の外部に存在し、入力装置５と警報監視システム１０との間で無線通信または有線通信により、警報監視システム１０への対話入力を行う構成にしてもよい。すなわち、入力装置５から遠隔操作で警報監視システム１０に対して所定の操作を行うようにしてもよい。また、図１に示す例では、プロセス入力装置１、警報監視計算機２、警報監視コンソール３、表示装置４及び入力装置５が別体として構成したが、本発明はこれに限定されず、これらが一体化されていてもよい。
【００２６】
［警報監視計算機の構成］
次に、警報監視計算機２の構成を、図面を参照しながら説明する。警報監視計算機２は、図１に示すように、データベース２１と、警報監視部２２とを備える。
【００２７】
データベース２１は、警報情報データベース２１１と、警報履歴データベース２１２とを備える。なお、警報情報データベース２１１と、警報履歴データベース２１２とが一つのデータベースで構成されていてもよい。
【００２８】
警報情報データベース２１１には、主に、プロセス入力装置１から受信した（入力された）プロセスデータが正常であるか否かを判定するための閾値等のデータ（基準値情報）が格納される。図２及び３に、警報情報データベース２１１に格納されるデータセットの一構成例を示す。
【００２９】
図２は、警報情報データベース２１１に格納されるデータのうちアナログデータの構成例を示す図であり、図３は、デジタルデータの構成例を示す図である。また、図２及び３では、各行に記載の種々のデータが１組となり各プロセスデータのデータセットが構成される。なお、警報情報データベース２１１に格納するデータセットのデータ項目の種類は、図２及び３に示す例に限定されず、例えば用途等に応じて適宜設定できる。
【００３０】
警報情報データベース２１１内の各アナログデータのデータセットは、図２に示すように、例えば、アナログデータに割り当てられた入力点番号及び入力点名称、異常が発生した際に警報を発するか否かの情報（図２中の第３欄の「警報有無」）、並びに、警報を発する際の閾値（図２中の第４及び５欄の「警報上限値」及び「警報下限値」）等で構成される。
【００３１】
なお、図２において、「警報有無」の欄に「有り」が設定されている異常事象では、アナログデータが警報上限値を超えた場合または警報下限値を下回った場合に、異常と判定され、警報が発生する。また、本実施形態では、警報情報データベース２１１には、警報を発しないアナログデータも記録される。例えば、図２中では、入力点番号Ｂ００２の海水温度に関するデータセットがその一例である。
【００３２】
また、警報情報データベース２１１内の各デジタルデータのデータセットは、図３に示すように、例えば、デジタルデータに割り当てられた入力点番号及び入力点名称、異常が発生した際に警報を発するか否かの情報（図３中の第３欄の「警報有無」）、警報を発する際の接点情報（図３中の第４欄の「警報状態」）、並びに、接点（入力点）信号の状態値（図３中の第５及び６欄の「状態１（ＯＮ）」及び「状態２（ＯＦＦ）」）等で構成される。
【００３３】
なお、図３において、「警報有無」の欄に「有り」が設定されている異常事象では、接点信号の状態値が「警報状態」の欄に設定されている状態値（状態１又は状態２）に接点信号の状態が遷移した際に、異常とみなされ、警報が発生する。より具体的に説明すると、入力点番号Ａ００１のデジタルデータ（主蒸気弁故障）では、接点信号の状態が「状態１」に遷移した際に、異常と判定され、警報が発生する。また、本実施形態では、警報情報データベース２１１には、警報を発しないデジタルデータに関する情報も記録される。例えば、図３中では、入力点番号Ａ００３のポンプ起動に関するデータセットがその一例である。
【００３４】
一方、警報履歴データベース２１２には、過去に異常と判定されたプロセスデータに関する警報履歴情報、及び、異常発生時の対応処理に関するコメント情報等を含む種々の履歴データからなるデータセット（以下、警報履歴データセットという）が格納される。図４に、警報履歴データベース２１２に格納される警報履歴データセットの一構成例を示す。なお、警報履歴データベース２１２に格納する警報履歴データセットのデータ項目の種類は、図４に示す例に限定されず、例えば用途等に応じて適宜設定できる。
【００３５】
警報履歴データベース２１２内の各警報履歴データセットは、図４に示すように、例えば、入力点番号及び入力点名称、警報発生日、警報発生時刻、接点信号の状態値、異常判定の閾値（図４中の「制限値」）、異常発生時の対応者に関する情報、並びに、対応処置の内容に関するコメント等で構成される。なお、警報履歴データベース２１２に格納されるデータは、異常が発生する度、あるいは、コメントが更新等される度に更新される。
【００３６】
警報監視部２２は、図１に示すように、警報判定部２２１及び警報履歴記録部２２２を含む。警報判定部２２１は、プロセス入力装置１から受信したプロセスデータを、警報情報データベース２１１から抽出した閾値と比較し、プロセスデータが異常であるか否かを判定する。また、警報履歴記録部２２２は、警報判定部２２１で異常であると判定されたプロセスデータを、異常発生時に得られる種々の情報、例えば図４に示す警報履歴データセットを構成する各種情報等とともに、警報履歴データベース２１２に書き込む。
【００３７】
［警報監視コンソールの構成］
次に、警報監視コンソール３の構成を、図面を参照しながら説明する。警報監視コンソール３は、図１に示すように、警報情報取得部３１と、コメント処理部３２と、画面生成部３３とを備える。
【００３８】
警報情報取得部３１は、主に、警報履歴取得部３１１と、警報発生頻度計数部３１２とで構成される。
【００３９】
警報履歴取得部３１１は、警報履歴データベース２１２から警報履歴情報（図４に示す例では、入力点番号、入力点名称、警報発生日、警報発生時刻、状態値、制限値等の情報）の一覧を取得する。なお、この際、警報履歴取得部３１１は、例えば期間、入力点番号等の条件をパラメータとして絞り込み検索して、所望の警報履歴情報を取得することもできる。
【００４０】
警報発生頻度計数部３１２は、入力装置５により予め設定された期間において、異常事象毎の発生回数を、警報履歴取得部３１１で取得した警報履歴情報から計数する。後述するように、本実施形態では警報監視画面４１（図６）に表示する警報メッセージの一覧には、警報発生頻度計数部３１２で計数した頻度数の情報を警報メッセージ毎に付加する。警報監視画面４１に、異常事象毎の発生回数（頻度数）を表示することにより、ユーザは、過去に同じ異常が発生したか否かを一目で確認することができ、過去の異常発生時のコメント情報をより迅速に検索することが可能になる。
【００４１】
コメント処理部３２は、主に、コメント登録部３２１と、コメント取得部３２２とで構成される。
【００４２】
コメント登録部３２１は、ユーザにより入力装置５を介して入力された、例えば異常発生時に運転員（ユーザ）が実施した対処等のコメント情報を警報履歴データベース２１２に登録する。一方、コメント取得部３２２は、ユーザにより指定（選択）された警報履歴データに登録されたコメント情報（図４に示す例では、対応者、コメント等の情報）を、警報履歴データベース２１２から読み出す。
【００４３】
画面生成部３３は、主に、警報監視画面生成部３３１と、警報履歴画面生成部３３２と、コメント画面生成部３３３とで構成される。
【００４４】
警報監視画面生成部３３１は、警報履歴取得部３１１で取得した最近（最新の異常から所定期間）の警報履歴情報を発生順に一覧表示するための警報監視画面４１を生成する。すなわち、警報監視画面生成部３３１は、最近、警報判定部２２１で異常と判定されたプロセスデータに関する情報（警報履歴情報）を警報メッセージとして、異常（警報）の発生順に一覧表示するための警報監視画面４１を生成する。そして、警報監視画面生成部３３１は、生成した警報監視画面４１のデータを表示装置４に出力する。
【００４５】
なお、警報監視画面４１の生成及び表示は、常時行ってもよいし、異常発生時に行ってもよい。また、警報監視画面４１の生成及び表示は、異常発生時以外にも例えばユーザが入力装置５を用いて過去のコメント情報等を更新する際に実施してもよい。
【００４６】
また、本実施形態では、警報監視画面生成部３３１は、最も新しく発生した異常の履歴データの一覧を、警報メッセージの一覧とは別に生成して、警報監視画面４１内に付加する。最新の異常に関する履歴データの一覧を警報監視画面４１に表示することにより、最新の異常と同じ過去の異常事象の詳細及びそれに対する対応処置の情報を迅速に検索することが可能になる。
【００４７】
ここで、図５に、警報監視画面４１の表示例を示す。図５に示す例では、警報監視画面４１は、主に、警報メッセージ表示欄４１１と、警報履歴表示欄４１２と、コメント表示ボタン４１３で構成される。なお、コメント表示ボタン４１３は、所望の警報メッセージのコメント情報を表示する際に用いる選択ボタンである。
【００４８】
警報メッセージ表示欄４１１には、最近（最新の異常から所定期間）、発生した異常の警報メッセージがその発生順に一覧表示される。また、図５に示す例では、警報メッセージ毎に、警報の発生日、発生時刻、入力点番号、入力点名称（プロセスデータ名称）、状態値、警報制限値及び警報発生頻度等の情報が表示される。
【００４９】
なお、警報メッセージ表示欄４１１の表示形態は、図５に示す例に限定されず、例えば用途等に応じて適宜変更できる。例えば、図５に示す例では、警報発生頻度には過去の回数を表示するが、現在の異常発生回数を含めて表示してもよい。また、例えば、警報メッセージを異常事象毎に分別し且つ時系列で表示する形態にしてもよい。なお、警報メッセージ表示欄４１１に表示する警報メッセージ一覧の期間は、例えば用途等に応じて適宜変更できる。
【００５０】
警報履歴表示欄４１２には、最も新しく発生した異常事象の過去の履歴概要が表示される。具体的には、最も新しく発生した異常事象と同じ入力点番号の履歴データが警報履歴表示欄４１２に列記される。図５に示す例では、最新の異常事象が「ネットワークＡ異常」（入力点番号Ａ００４）であるので、「ネットワークＡ異常」の過去の履歴データが、警報履歴表示欄４１２に表示される。なお、ユーザが入力装置５を用いて、警報メッセージ表示欄４１１内の最新の警報メッセージ以外の警報メッセージを選択した場合には、その選択した異常事象の履歴データが警報履歴表示欄４１２に表示される。
【００５１】
また、図５に示す例では、警報履歴表示欄４１２に表示する履歴データの一覧には、例えば異常の発生日時、警報状態等の異常発生の概要情報を含む程度となっているが、本発明はこれに限定されず、警報履歴表示欄４１２に表示する各履歴データのデータ項目は、例えば用途等に応じて適宜変更できる。
【００５２】
なお、警報履歴表示欄４１２に表示する履歴データの一覧は、例えば、次のようにして生成される。まず、最も新しく発生した異常の入力点番号をパラメータとして警報履歴取得部３１１により絞り込み検索を行い、警報履歴データベース２１２から同じ入力点番号のプロセスデータを取得する。そして、警報監視画面生成部３３１が、警報履歴取得部３１１で取得したデータに基づいて履歴データの一覧を生成する。
【００５３】
また、警報メッセージ表示欄４１１及び警報履歴表示欄４１２の表示は、新規に異常が発生した場合には自動的に更新される。
【００５４】
警報履歴画面生成部３３２は、警報履歴取得部３１１により取得された警報履歴情報の一覧を表示するための警報履歴画面４２を生成する。この際、警報履歴画面生成部３３２は、警報監視画面４１に表示する警報メッセージ一覧の履歴期間より、長い期間の警報履歴情報を含む警報履歴画面４２を生成する。例えば、過去に発生した全ての警報履歴情報をその発生順に時系列で一覧表示する警報履歴画面４２を生成する。そして、警報履歴画面生成部３３２は、生成した警報履歴画面４２のデータを表示装置４に出力する。
【００５５】
なお、警報履歴画面４２の生成及び表示は、警報監視画面４１の生成及び表示と同時に行ってもよいし、必要に応じて（例えば、ユーザにより入力装置５を用いて所定操作が行われた際に）適宜生成してもよい。警報履歴画面４２の表示を別途行う場合には、例えば、警報監視画面４１に警報履歴画面４２を呼び出すボタン等を別途設け、そのボタン等をユーザが入力装置５を用いて押下することにより、警報履歴画面４２を表示する構成にしてもよい。
【００５６】
また、警報履歴画面生成部３３２が警報履歴画面４２を生成する際、警報履歴取得部３１１により入力点番号だけでなく入力装置５により入力された期間を含む条件をパラメータとして絞り込み検索して所定の警報履歴情報を警報履歴データベース２１２から取得し、その取得した警報履歴情報に基づいて、警報履歴情報の一覧（警報履歴画面４２）を生成してもよい。
【００５７】
ここで、図６に、警報履歴画面４２の表示例を示す。図６に示す例では、警報履歴画面４２は、主に、警報履歴表示欄４２１と、コメント表示ボタン４２２とで構成される。なお、コメント表示ボタン４２２は、警報履歴表示欄４２１に列記された警報履歴情報から所望の警報履歴情報を選択してそのコメント情報を表示する際に用いる選択ボタンである。
【００５８】
なお、図６には、警報履歴表示欄４２１に、警報監視システム１０において過去に発生した全ての警報履歴情報を異常発生順に表示する例を示す。そして、図６に示す例では、警報履歴データ毎に、警報の発生日、発生時刻、入力点番号、入力点名称（プロセスデータ名称）、状態値及び警報制限値等の情報を表示する。
【００５９】
なお、警報履歴表示欄４２１の表示形態は、図６に示す例に限定されない。例えば、警報履歴情報を異常事象毎に分別し且つ時系列で表示する形態にしてもよい。また、警報履歴画面４２は、警報履歴表示欄４２１に表示させたい異常事象の履歴及び期間等の絞り込み条件を設定するための機能を備えていてもよい。
【００６０】
上述のような警報履歴画面４２を生成することにより、警報監視画面４１に表示される警報メッセージの一覧では、検索しきれない過去の警報履歴を容易に検索することが可能になる。
【００６１】
コメント画面生成部３３３は、警報監視画面４１または警報履歴画面４２にそれぞれ表示される警報メッセージまたは警報履歴情報の一覧からユーザが指定した履歴データに対するコメント情報を表示するためのコメント画面４３を生成する。なお、コメント画面生成部３３３は、コメント取得部３２２を介して、ユーザが指定した履歴データに対するコメント情報を警報履歴データベース２１２から取得し、そのデータに基づいてコメント画面４３を生成する。そして、コメント画面生成部３３３は、生成したコメント画面４３のデータを表示装置４に出力する。
【００６２】
なお、コメント画面４３は、ユーザが、警報監視画面４１または警報履歴画面４２にそれぞれ表示される警報メッセージまたは警報履歴情報の一覧から所定の履歴データを選択した際に表示される。
【００６３】
ここで、図７に、コメント画面４３の表示例を示す。図７に示す例では、コメント画面４３は、主に、コメント表示欄４３１と、登録ボタン４３２とで構成される。
【００６４】
コメント表示欄４３１には、警報監視画面４１または警報履歴画面４２内で選択された警報履歴に対するコメント情報が表示される。図７に示す例では、警報発生時の対応者及びその対応内容が表示される。なお、コメント表示欄４３１の表示内容は、図７に示す例に限定されず、例えば対応マニュアル等の情報も表示されるようにしてもよい。
【００６５】
なお、本実施形態では、コメント画面４３が表示されると、ユーザが入力装置５を用いてコメント情報を直接、新規入力または更新することができるように構成されている。そして、コメント情報の新規入力または更新が終了した後、ユーザが入力装置５を用いて登録ボタン４３２を押下（クリック）することにより、コメント情報が警報履歴データベース２１２に記録される。
【００６６】
なお、上記図５〜７に示す例では、警報監視画面４１、警報履歴画面４２及びコメント画面４３を個別に表示する例を説明したが、本発明はこれに限定されない。例えば、コメント画面４３を警報監視画面４１及び／または警報履歴画面４２内の一部に表示するようにしてもよいし、警報監視画面４１または警報履歴画面４２がコメント画面４３に切り替るように構成してもよい。
【００６７】
［警報監視システムの動作］
次に、上述した本実施形態の警報監視システム１０における警報表示時の処理動作の一例を、図８を参照しながら簡単に説明する。なお、図８は、警報表示時における警報監視画面４１の表示からコメント画面４３の表示までの一連の処理手順を示すフローチャートである。ただし、下記動作説明では、警報監視システム１０で異常を常時監視している場合を説明するが、本発明はこれに限定されず、例えば用途等によっては警報監視を定期的に行ってもよい。
【００６８】
まず、警報監視システム１０の警報監視コンソール３は、警報表示の指示信号が入力された否かを判定する（ステップＳ１）。なお、警報監視画面４１及び警報履歴画面４２を常時表示するような警報監視システム１０では、このステップＳ１の処理は省略される。
【００６９】
なお、ステップＳ１では、新たに異常が発生した場合には、警報監視計算機２からその指示信号が入力される。また、過去の警報履歴情報を検索及び更新する際には、入力装置５からユーザの所定操作に対応する信号が指示信号として警報監視コンソール３に入力される。
【００７０】
ステップＳ１において、警報表示の指示信号が入力されていない場合、ステップＳ１はＮＯ判定となり、この場合には、ステップＳ１の処理を繰り返す。一方、警報表示の指示信号が入力された場合、ステップＳ１はＹＥＳ判定となる。この場合には、表示装置４は、例えば図５及び６に示すような警報監視画面４１及び警報履歴画面４２に警報履歴情報を表示して、警報情報をユーザに報知する（ステップＳ２）。
【００７１】
次いで、ユーザは、入力装置５を用いて、警報監視画面４１または警報履歴画面４２内から、コメント情報を表示したい警報メッセージまたは警報履歴データを選択する（ステップＳ３）。この動作をより具体的に説明すると、図５及び６に示す例では、ユーザが、入力装置５を用いて、警報監視画面４１または警報履歴画面４２内のコメント情報を表示したい警報履歴の行を選択し、コメント表示ボタン４１３または４２２を押下（クリック）する。これにより、上述したユーザの選択操作に対応する信号が入力装置５から警報監視コンソール３に入力される。
【００７２】
次いで、表示装置４は、入力装置５から警報監視コンソール３を介して入力された選択信号に基づいて、例えば図７に示すようなコメント画面４３を表示し、その中に、選択された警報履歴のコメント情報を表示する（ステップＳ４）。本実施形態では、上述のようにして警報監視情報を表示する。
【００７３】
上述のように、本実施形態の警報監視システム１０及びその監視情報の表示手法では、新規に異常（警報）が発生した際に、発生した異常に関する情報を警報監視画面４１に表示するだけでなく、警報発生頻度や、発生した異常事象の過去の警報履歴データ等を表示する。それゆえ、本実施形態では、プラント運転員は、同じ異常が過去に発生したか否かを、一目で把握することができる。
【００７４】
また、本実施形態では、警報監視画面４１または警報履歴画面４２に表示された警報履歴の一覧から所定の警報履歴を選択するだけで、その警報への対応情報を含むコメント情報を容易に表示することができる。具体的には、警報に対して実施した対策内容、対応者、注意事項といった詳細な情報をユーザに容易に提供することができる。さらに、本実施形態では、コメント情報の新規入力及び更新を行い、その情報をデータベースに登録することができる。
【００７５】
以上のことから、本実施形態では、プラント運転員は、発生した異常に対して実績を踏まえた対応処置が行うことができ、異常原因の早急な究明及び迅速で効果的な警報復旧操作を行うことができる。
【００７６】
なお、上記実施形態では、発電プラントにおける警報監視システムの例を説明したが、本発明はこれに限定されない。例えばガスプラントのような他のプラント設備に対しても本発明は同様に適用可能であり、同様の効果が得られる。また、本発明は、例えば災害監視システム等の警報監視が必須であるシステムであれば任意のシステムに適用可能である。ただし、この場合、図１に示す警報監視システム１０中のプロセス入力装置１の代わりに、用途に対応した警報パラメータを取得する装置が用いられる。
【符号の説明】
【００７７】
１…プロセス入力装置、２…警報監視計算機、３…警報監視コンソール、４…表示装置、５…入力装置、１０…警報監視システム、２０…発電プラント、２１…データベース、２２…警報監視部、３１…警報情報取得部、３２…コメント処理部、３３…画面生成部、４１…警報監視画面、４２…警報履歴画面、４３…コメント画面、２１１…警報情報データベース、２１２…警報履歴データベース、２２１…警報判定部、２２２…警報履歴記録部、３１１…警報履歴取得部、３１２…警報発生頻度計数部、３２１…コメント登録部、３２２コメント取得部、３３１…警報監視画面生成部、３３２…警報履歴画面生成部、３３３…コメント画面生成部
【図１】
2011192082.tif 000003
【図２】
2011192082.tif 000004
【図３】
2011192082.tif 000005
【図４】
2011192082.tif 000006
【図５】
2011192082.tif 000007
【図６】
2011192082.tif 000008
【図７】
2011192082.tif 000009
【図８】
2011192082.tif 000010